(57)【特許請求の範囲】
【請求項１】
画面上に表示したデータに対応付けて、使用者が前記データを選択するための選択領域を表示する領域表示手順と、
前記選択領域に対する使用者の選択指示を受け付けて、選択指示がなされた前記選択領域に対応する前記データに対して処理を実行する処理実行手順と、
使用者による前記データの選択状況、および前記処理実行手順による処理の実行状況のいずれか一方を前記選択領域内に表示する状況表示手順とをコンピュータに実行させるための処理実行プログラム。
【請求項２】
請求項１に記載の処理実行プログラムにおいて、
使用者による前記選択領域に対する選択指示があった場合に、その時の前記選択領域内の表示内容に応じて、当該選択領域に対応する前記データに対する処理を切り替えるように前記処理実行手段を制御する処理制御手段をさらに有することを特徴とする処理実行プログラム。
【請求項３】
請求項２に記載の処理実行プログラムにおいて、
前記処理制御手段は、前記選択領域内の表示内容が、当該選択領域に対応する前記データが未選択であることを示すものであるときに、使用者による当該選択領域に対する選択指示があった場合には、当該選択領域に対応する前記データの選択を受け付けるように、前記処理実行手段を制御することを特徴とする処理実行プログラム。
【請求項４】
請求項２または３に記載の処理実行プログラムにおいて、
前記処理制御手段は、前記選択領域内の表示内容が、当該選択領域に対応する前記データが選択済みであることを示すものであるときに、使用者による当該選択領域に対する選択指示があった場合には、当該選択領域に対応する前記データの選択を解除するように、前記処理実行手段を制御することを特徴とする処理実行プログラム。
【請求項５】
請求項２〜４のいずれか一項に記載の処理実行プログラムにおいて、
前記処理制御手段は、前記選択領域内の表示内容が、前記処理実行手段が当該選択領域に対応する前記データに対する処理を実行中であることを示すものであるときに、使用者による当該選択領域に対する選択指示があった場合には、当該選択領域に対応する前記データに対する処理を停止するように、前記処理実行手段を制御することを特徴とする処理実行プログラム。
【請求項６】
請求項２〜５のいずれか一項に記載の処理実行プログラムにおいて、
前記処理制御手段は、前記選択領域内の表示内容が、前記処理実行手段が当該選択領域に対応する前記データに対する処理を完了済みであることを示すものであるときに、使用者による当該選択領域に対する選択指示があった場合には、当該選択領域に対応する前記データに対する処理を再実行するように、前記処理実行手段を制御することを特徴とする処理実行プログラム。
【請求項７】
請求項１〜６のいずれか一項に記載の処理実行プログラムにおいて、
前記選択領域はチェックボックスであることを特徴とする処理実行プログラム。
【請求項８】
請求項１〜７のいずれか一項に記載の処理実行プログラムを実行するプログラム実行手段を備えることを特徴とする処理実行装置。
【発明の詳細な説明】
【技術分野】
【０００１】
本発明は、データに対して処理を実行するための処理実行プログラム、および処理実行装置に関する。
【背景技術】
【０００２】
次のようなプログラム動作状況表示方法が知られている。この方法では、処理の進捗状況に応じてアイコンの表示を変化させている（例えば、特許文献１）。
【０００３】
【特許文献１】特開２０００−２１５０３６号公報
【発明の開示】
【発明が解決しようとする課題】
【０００４】
しかしながら、処理の進捗状況に応じてアイコンを変化させる従来の方法では、処理の選択を受け付けるための領域とアイコンとを別に表示しないといけないため、画面上にスペースの無駄が生じるという問題があった。
【課題を解決するための手段】
【０００５】
本発明による処理実行プログラムは、画面上に表示したデータに対応付けて、使用者がデータを選択するための選択領域を表示し、選択領域に対する使用者の選択指示を受け付けて、選択指示がなされた選択領域に対応するデータに対して処理を実行し、使用者によるデータの選択状況、および処理の実行状況のいずれか一方を選択領域内に表示することを特徴とする。
本発明では、使用者による選択領域に対する選択指示があった場合に、その時の選択領域内の表示内容に応じて、当該選択領域に対応するデータに対する処理を切り替えるようにしてもよい。
選択領域内の表示内容が、当該選択領域に対応するデータが未選択であることを示すものであるときに、使用者による当該選択領域に対する選択指示があった場合には、当該選択領域に対応するデータの選択を受け付けるようにしてもよい。
選択領域内の表示内容が、当該選択領域に対応するデータが選択済みであることを示すものであるときに、使用者による当該選択領域に対する選択指示があった場合には、当該選択領域に対応するデータの選択を解除するようにしてもよい。
選択領域内の表示内容が、当該選択領域に対応するデータに対する処理を実行中であることを示すものであるときに、使用者による当該選択領域に対する選択指示があった場合には、当該選択領域に対応するデータに対する処理を停止するようにしてもよい。
選択領域内の表示内容が、当該選択領域に対応するデータに対する処理を完了済みであることを示すものであるときに、使用者による当該選択領域に対する選択指示があった場合には、当該選択領域に対応するデータに対する処理を再実行するようにしてもよい。
選択領域はチェックボックスであることが好ましい。
本発明による処理実行装置は、上記いずれかの処理実行プログラムを実行することを特徴とする。
【発明の効果】
【０００６】
本発明によれば、画面上のスペースを節約することができる。
【発明を実施するための最良の形態】
【０００７】
図１は、本実施の形態における画像記録装置の一実施の形態の構成を示すブロック図である。画像記録装置１００は、例えばパソコン（パーソナルコンピュータ）であって、操作部材１０１と、通信装置１０２と、制御装置１０３と、ＨＤＤ（ハードディスクドライブ）１０４と、モニタ１０５とを備えている。
【０００８】
操作部材１０１は、使用者によって操作される種々の装置、例えばキーボードやマウスを含む。通信装置１０２は、外部機器と有線接続または無線接続を行なって通信を行うための装置である。
【０００９】
通信装置１０２としては、例えばＵＳＢケーブルを介して外部機器を有線接続するためのＵＳＢインターフェースや、無線ＬＡＮを介して外部機器と無線接続するための無線ＬＡＮインターフェースが用いられる。本実施の形態では、通信装置１０２を介して、あるデジタルカメラとは有線で接続し、他のデジタルカメラとは無線で接続するといったように、複数のデジタルカメラのそれぞれと有線および無線のいずれかにより接続することができるものとする。
【００１０】
ＨＤＤ１０４は、通信装置１０２を介してデジタルカメラから取り込んだ画像ファイルや、制御装置１０３で実行される種々のプログラム等を記録するための記憶媒体である。モニタ１０５は、例えば液晶モニタであって、制御装置１０３から出力される種々の情報が表示される。
【００１１】
制御装置１０３は、ＣＰＵ、メモリ、およびその他の周辺回路によって構成され、表示制御部１０３ａと、処理実行部１０３ｂとを機能的に備えている。なお、制御装置１０３を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、プログラム実行時に読み込まれる種々のパラメータなどが記録されている。
【００１２】
本実施の形態における画像記録装置１００は、通信装置１０２を介して接続されているデジタルカメラの記憶媒体に記録されている画像データを取り込んで、ＨＤＤ１０４に記録することができる。なお、本実施の形態では、画像記録装置１００は、少なくとも１台のデジタルカメラとの間で、有線接続または無線接続を確立しているものとして説明を行う。また、無線通信を行う場合には、画像記録装置１００とデジタルカメラは、直接無線通信を行うようにしてもよく、アクセスポイントなどの通信機器を介して無線通信を行うようにしてもよい。
【００１３】
表示制御部１０３ａは、使用者によってデジタルカメラからの画像の取り込みが指示されると、図２に示すような画像一覧画面をモニタ１０５に表示する。すなわち、表示制御部１０３ａは、接続中のデジタルカメラから記憶媒体に記録されている画像ファイルからサムネイル画像を取り込んで、画像一覧画面上に一覧表示する。なお、画像記録装置１００が複数のデジタルカメラとの間で接続を確立している場合には、接続中のそれぞれのデジタルカメラの記憶媒体に記録されている画像のサムネイル画像が一覧表示される。
【００１４】
この画像一覧画面には、接続されているデジタルカメラの記憶媒体に記録されている画像のサムネイル一覧、各画像のファイル名、および各画像を取り込み対象として選択するか否かを指定するための選択領域であるチェックボックスが表示されている。また、使用者が取り込み対象として選択した画像の取り込み開始を指示するための取り込み開始ボタン２ａが表示されている。
【００１５】
使用者は、この画像一覧画面上で、取り込みを行いたい画像に対応付けられて表示されているチェックボックスを操作部材１０１に含まれるマウスでクリックすることによって、取り込み対象の画像の選択指示を行なうことができる。表示制御部１０３ａは、使用者による画像の選択状況に応じて、チェックボックス内の表示内容を変更する。
【００１６】
具体的には、表示制御部１０３ａは、使用者によって取り込み対象として選択されていない画像に対応するチェックボックス内には、何も表示せず、そのチェックボックスを非選択状態とする。これに対して、使用者によってチェックボックス内がマウスでクリックされた場合には、そのチェックボックス内に、図３に示す転送予約マーク３ａを表示して、そのチェックボックスが選択状態にあることを示す。また、使用者によって選択状態にあるチェックボックスがクリックされた場合には、そのチェックボックス内から転送予約マーク３ａを消去して、そのチェックボックスを非選択状態にする。
【００１７】
例えば、表示制御部１０３ａは、図４（ａ）に示すように、チェックボックスが非選択状態にあるときに使用者によってクリックされた場合には、チェックボックスを選択状態にする。一方、図４（ｂ）に示すように、チェックボックスが選択状態にあるときに使用者によってクリックされた場合には、チェックボックスを非選択状態にする。
【００１８】
処理実行部１０３ｂは、チェックボックスの選択状況に応じて、対応する画像に対して実行する処理を切り替える。すなわち、画像に対応するチェックボックスが非選択状態から選択状態に変化した場合には、その画像の選択を受け付けて、その画像を転送キューに追加する。これに対して、画像に対応するチェックボックスが選択状態から非選択状態に変化した場合には、その画像の選択を解除して、その画像を転送キューから削除する。なお、転送キューは、ＳＤＲＡＭ上に作成される。
【００１９】
処理実行部１０３ｂは、使用者によって取り込み開始ボタン２ａが押下されると、転送キューに登録されている画像の画像ファイルを通信装置１０２を介して接続されているデジタルカメラから取得する。なお、図２に示す例では、上段に表示されている４つの画像が取り込み対象として選択されており、下段に表示されている４つの画像は取り込み対象として選択されていない。
【００２０】
表示制御部１０３ａは、処理実行部１０３ｂによる処理の実行状況に応じて、チェックボックス内の表示を変更する。具体的には、表示制御部１０３ａは、画像の取り込みを開始した画像に対応するチェックボックス内には、画像ファイルを転送中であることを示すマークを表示する。例えば、画像ファイルを有線接続されたデジタルカメラから転送中である場合には、その画像に対応するチェックボックス内に図３に示す有線転送中マーク３ｂを表示する。また、無線接続されたデジタルカメラから転送中である場合には、その画像に対応するチェックボックス内に無線転送中マーク３ｃを表示する。
【００２１】
なお、デジタルカメラと有線接続を行っているか無線接続を行っているかの情報は、デジタルカメラとの間で通信を確立した時点で取得され、ＳＤＲＡＭに記録されている。表示制御部１０３ａは、このＳＤＲＡＭに記録されている情報を読み込んで、デジタルカメラと有線接続を行っているか無線接続を行っているかを判定し、接続形態に合った転送中マークを表示する。
【００２２】
そして、画像ファイルの取り込みが完了した場合には、その画像に対応するチェックボックス内に転送済みマーク３ｄを表示する。これによって、使用者は、チェックボックス内に表示されるマークによって、処理の実行状況、すなわち画像ファイルの転送状況を把握することができる。
【００２３】
図５は、有線接続されたデジタルカメラから画像ファイルを取り込む場合に、処理の実行状況に応じたチェックボックス内の表示内容の変化例を示す図である。まず、画像一覧画面上でサムネイル画像が表示された時点では、チェックボックスは非選択状態になっている。その後、使用者によって、チェックボックスがクリックされると、チェックボックス内には転送予約マーク３ａが表示され、そのチェックボックスは選択状態となる。この時点で選択された画像は転送キューに入る。
【００２４】
その後、使用者によって取り込み開始ボタン２ａが押下されることによって、そのチェックボックスに対応する画像の画像ファイルの転送が開始されると、チェックボックス内には有線転送中マーク３ｂが表示される。そして、画像ファイルの転送が完了すると、チェックボックス内には転送済みマーク３ｄが表示される。
【００２５】
また、図６は、無線接続されたデジタルカメラから画像ファイルを取り込む場合に、処理の実行状況に応じたチェックボックス内の表示内容の変化例を示す図である。この図６に示す例では、画像ファイルの転送が開始されると、チェックボックス内には無線転送中マーク３ｃが表示される点で図５に示す例とは異なる。
【００２６】
図７は、取り込み開始ボタン２ａが押下されて、画像ファイルの転送が開始された後の画像一覧画面の一例を示す図である。この図７に示す例では、図２に示した画像一覧画面上で取り込み対象として選択された上段の４つの画像のそれぞれの処理の実行状況、すなわち転送の進捗状況をチェックボックス内の表示内容によって把握することができる。
【００２７】
具体的には、ファイル名がＤＳＣＮ０１０１．ｎｅｆの画像ファイルは、現在、無線接続されたデジタルカメラから転送中であり、ファイル名がＤＳＣＮ０１０２．ｎｅｆの画像ファイルは、現在、有線接続されたデジタルカメラから転送中であることを示している。また、ファイル名がＤＳＣＮ０１０３．ｎｅｆの画像ファイルは、既に転送が完了していることを示しており、ファイル名がＤＳＣＮ０１０４．ｎｅｆの画像ファイルは、まだ転送が開始されていないことを示している。
【００２８】
処理実行部１０３ｂは、画像の取り込みを開始した後に、さらに使用者によってチェックボックスがクリックされたことを検出した場合には、現在のチェックボックス内の表示内容に応じて、そのチェックボックスに対応する画像に対して実行する処理を切り替える。また、表示制御部１０３ａは、チェックボックス内の表示内容を、処理実行部１０３ｂによって切り替えられた後の処理の実行状況を表すマークに変更する。
【００２９】
具体的には、図７に示す画像一覧画面における下段の画像のように非選択状態となっているチェックボックスが使用者によってクリックされた場合には、処理制御部１０３ｂは、そのチェックボックスに対応する画像を転送キューに追加する。そして、表示制御部１０３ａは、図４（ａ）に示すように、そのチェックボックス内に転送予約マーク３ａを表示して、チェックボックスを選択状態にする。
【００３０】
これに対して、ファイル名がＤＳＣＮ０１０４．ｎｅｆの画像ファイルのように選択状態となっているチェックボックスが使用者によってクリックされた場合には、処理制御部１０３ｂは、そのチェックボックスに対応する画像を転送キューから削除する。そして、表示制御部１０３ａは、図４（ｂ）に示すように、そのチェックボックス内の転送予約マーク３ａを消去して、チェックボックスを非選択状態にする。
【００３１】
また、ファイル名がＤＳＣＮ０１０３．ｎｅｆの画像ファイルのように転送済みマーク３ｄが表示されているチェックボックスが使用者によってクリックされた場合には、処理制御部１０３ｂは、そのチェックボックスに対応する画像を転送キューに追加する。すなわち、既に転送が完了している画像ファイルを再度取り込むように、その画像に対する処理を切り替える。そして、表示制御部１０３ａは、図４（ｃ）に示すように、そのチェックボックス内の表示を転送済みマーク３ｄから転送予約マーク３ａに変更する。
【００３２】
また、ファイル名がＤＳＣＮ０１０２．ｎｅｆの画像ファイルのように有線転送中マーク３ｂが表示されているチェックボックスが使用者によってクリックされた場合には、処理制御部１０３ｂは、そのチェックボックスに対応する画像ファイルの転送を停止する。そして、表示制御部１０３ａは、図４（ｄ）に示すように、そのチェックボックス内から有線転送中マーク３ｂを消去して、チェックボックスを非選択状態にする。
【００３３】
同様に、ファイル名がＤＳＣＮ０１０１．ｎｅｆの画像ファイルのように無線転送中マーク３ｃが表示されているチェックボックスが使用者によってクリックされた場合には、処理制御部１０３ｂは、そのチェックボックスに対応する画像ファイルの転送を停止する。そして、表示制御部１０３ａは、図４（ｅ）に示すように、そのチェックボックス内から無線転送中マーク３ｃを消去して、チェックボックスを非選択状態にする。
【００３４】
図８は、本実施の形態における画像記録装置１００の処理を示すフローチャートである。図８に示す処理は、使用者によって使用者によってデジタルカメラからの画像の取り込みが指示されると起動するプログラムとして、制御装置１０３によって実行される。
【００３５】
ステップＳ１０において、表示制御部１０３ａは、図２に示した画像一覧画面をモニタ１０５に表示して、ステップＳ２０へ進む。ステップＳ２０では、表示制御部１０３ａは、使用者によって画像一覧画面内のいずれかのチェックボックスがクリックされたか否かを判断する。否定判断した場合には、ステップＳ８０へ進む。これに対して、肯定判断した場合には、ステップＳ３０へ進む。
【００３６】
ステップＳ３０では、表示制御部１０３ａは、使用者によってクリックされたチェックボックスが非選択状態であるか否かを判断する。肯定判断した場合には、ステップＳ４０へ進み、表示制御部１０３ａは、チェックボックス内に転送予約マーク３ａを表示して、チェックボックスを選択状態にする。その後、ステップＳ５０へ進み、処理実行部１０３ｂは、選択状態となったチェックボックスに対応する画像を転送キューに追加して、ステップＳ８０へ進む。
【００３７】
これに対して、ステップＳ３０で否定判断した場合には、ステップＳ６０へ進む。ステップＳ６０では、表示制御部１０３ａは、チェックボックス内の転送予約マーク３ａを消去して、チェックボックスを非選択状態にする。その後、ステップＳ７０へ進み、処理実行部１０３ｂは、非選択状態となったチェックボックスに対応する画像を転送キューから削除して、ステップＳ８０へ進む。
【００３８】
ステップＳ８０では、処理実行部１０３ｂは、使用者によって取り込み開始ボタン２ａが押下されたか否かを判断する。否定判断した場合には、ステップＳ２０へ戻って処理を繰り返す。これに対して、肯定判断した場合には、ステップＳ９０へ進む。ステップＳ９０では、処理実行部１０３ｂは、取り込み対象の画像のデジタルカメラからの転送を開始して、ステップＳ１００へ進む。
【００３９】
ステップＳ１００では、表示制御部１０３ａは、転送中の画像ファイルに対応するチェックボックス内に転送中マークを表示する。すなわち、表示制御部１０３ａは、上述したように、ＳＤＲＡＭに記録されている情報を読み込んで、デジタルカメラと有線接続を行っているか無線接続を行っているかを判定する。そして、画像ファイルを有線接続されたデジタルカメラから転送中である場合には、その画像に対応するチェックボックス内に有線転送中マーク３ｂを表示する。また、無線接続されたデジタルカメラから転送中である場合には、その画像に対応するチェックボックス内に無線転送中マーク３ｃを表示する。その後、ステップＳ１１０へ進む。
【００４０】
ステップＳ１１０では、表示制御部１０３ａは、転送中の画像ファイルの転送が完了したか否かを判断する。肯定判断した場合には、ステップＳ１２０へ進み、その画像に対応するチェックボックス内に転送済みマーク３ｄを表示して、ステップＳ１３０へ進む。これに対して、否定判断した場合には、そのままステップＳ１３０へ進む。
【００４１】
ステップＳ１３０では、処理実行部１０３ｂは、使用者によっていずれかのチェックボックスがクリックされたか否かを判断する。肯定判断した場合には、ステップＳ１４０へ進み、処理実行部１０３ｂは、上述したように、そのときのチェックボックス内の表示内容に応じて、対応する画像に対する処理を切り替える。また、表示制御部１０３ａは、処理の切り替え結果に応じて、チェックボックス内の表示内容を変更する。その後、ステップＳ１５０へ進む。これに対して、ステップＳ１３０で否定判断した場合には、そのままステップＳ１５０へ進む。
【００４２】
ステップＳ１５０では、処理実行部１０３ｂは、画像一覧画面上で、使用者によって選択され、チェックボックスが選択状態になった全ての画像の画像ファイルの転送が完了したか否かを判断する。否定判断した場合には、ステップＳ１００へ戻って処理を繰り返す。これに対して、肯定判断した場合には、ステップＳ１６０へ進む。
【００４３】
ステップＳ１６０では、使用者によってデジタルカメラからの画像の取り込み終了が指示されたか否かを判断する。否定判断した場合には、ステップＳ１３０へ戻って処理を繰り返す。これに対して、肯定判断した場合には、ステップＳ１７０へ進み、表示制御部１０３ａは、モニタ１０５に表示した画像一覧画面を閉じて、処理を終了する。
【００４４】
以上説明した本実施の形態によれば、以下のような作用効果を得ることができる。
（１）表示制御部１０３ａは、画面上に表示した画像に対応付けて、使用者が画像を選択するための選択領域を表示し、処理実行部１０３ｂは、選択領域に対する使用者の選択指示を受け付けて、選択指示がなされた選択領域に対応する画像に対して処理を実行するようにした。そして、表示制御部１０３ａは、使用者による画像の選択状況、および処理実行部１０３ｂによる処理の実行状況のいずれか一方を選択領域内に表示するようにした。これによって、選択領域とは別に画像の選択状況や処理の実行状況を表示するための表示領域を設ける必要がないため、画面上のスペースを節約することができる。
【００４５】
（２）処理実行部１０３ｂは、使用者による選択領域に対する選択指示があった場合に、その時の選択領域内の表示内容に応じて、選択領域に対応する画像に対する処理を切り替えるようにした。これによって、その画像に対する処理の実行状況に応じた最適な処理を実行することができる。
【００４６】
（３）処理実行部１０３ｂは、選択領域内の表示内容が、選択領域に対応する画像が未選択であることを示すものであるとき、すなわちチェックボックスが非選択状態であるときに、使用者による選択領域に対する選択指示があった場合には、選択領域に対応する画像の選択を受け付けるようにした。これによって、使用者は、未選択のチェックボックスをクリックするだけで、取り込み対象の画像を選択することができる。
【００４７】
（４）処理実行部１０３ｂは、選択領域内の表示内容が、選択領域に対応する画像が選択済みであることを示すものであるとき、すなわちチェックボックス内に転送予約マーク３ａが表示されているときに、使用者による選択領域に対する選択指示があった場合には、選択領域に対応する画像の選択を解除するようにした。これによって、使用者は、選択済みのチェックボックスをクリックするだけで、選択状態を解除することができる。
【００４８】
（５）処理実行部１０３ｂは、選択領域内の表示内容が、選択領域に対応する画像に対する処理を実行中であることを示すものであるとき、すなわちチェックボックス内に有線転送中マーク３ｂまたは無線転送中マーク３ｃが表示されているときに、使用者による選択領域に対する選択指示があった場合には、選択領域に対応する画像の転送を停止するようにした。これによって、使用者は、転送中の画像に対応するチェックボックスをクリックするだけで、転送を停止することができる。
【００４９】
（６）処理実行部１０３ｂは、選択領域内の表示内容が、選択領域に対応する画像に対する処理を完了済みであることを示すものであるとき、すなわちチェックボックス内に転送済みマーク３ｄが表示されているときに、使用者による選択領域に対する選択指示があった場合には、選択領域に対応する画像の再度、転送キューに登録するようにした。これによって、使用者は、転送済みの画像に対応するチェックボックスをクリックするだけで、再転送を指示することができる。
【００５０】
（７）選択領域をチェックボックスとした。これによって、使用者は、チェックボックスをクリックすることによって直感的に画像を選択することができる。また、チェックボックスは一定の領域を持っているため、別途表示領域を設けることなく、その内部にマークを表示することができる。
【００５１】
―変形例―
なお、上述した実施の形態の画像記録装置は、以下のように変形することもできる。
（１）上述した実施の形態では、処理実行部１０３ｂは、チェックボックスが選択状態になったときに、対応する画像を転送キューに追加し、使用者によって転送開始ボタン２ａが押下されたときに、転送キューに登録されている画像の転送を開始する例について説明した。しかしながら、処理実行部１０３ｂは、チェックボックスが選択状態になったときに、対応する画像を転送キューに追加すると同時に、画像の転送を開始するようにしてもよい。
【００５２】
（２）上述した実施の形態では、画像一覧画面上には各画像に対応付けてチェックボックスを表示し、このチェックボックス内に使用者による画像の選択状況や処理の実行状況を表示する例について説明した。しかしながら、チェックボックスに限定されず、画像一覧画面上には、各画像に対応付けてアイコンやボタンなどを表示するようにし、使用者がこのアイコンやボタンをクリックすることで取り込み対象の画像を選択できるようにしてもよい。そして、表示制御部１０３ａは、アイコンやボタンに表示する表示内容を画像の選択状況や処理の実行状況に応じて変更するようにしてもよい。
【００５３】
（３）上述した実施の形態では、画像記録装置１００がデジタルカメラから画像を取り込むに当たって、画像一覧画面上で使用者が取り込み対象の画像を選択するときに、チェックボックスで使用者による選択を受け付け、チェックボックス内に画像の選択状況、および転送処理の実行状況を表示する例について説明した。しかしながら、使用者が処理対象の画像を選択して、選択した画像に対して他の処理を実行する場合にも本発明は適用可能である。例えば、画像記録装置１００のＨＤＤ１０４に既に記録されている画像のフォーマットを変換する場合に、画像一覧画面上で使用者にフォーマット変換対象の画像を選択させて、選択された画像にフォーマット変換処理を実行する場合に、チェックボックス内に画像の選択状況やフォーマット変換処理の実行状況を表示するようにしてもよい。
【００５４】
（４）上述した実施の形態では、画像記録装置１００として、パソコンを用いる例について説明した。しかしながら、他の情報機器、例えばサーバー装置やデジタルカメラなどを用いるようにしてもよい。一例としては、複数台のデジタルカメラが相互に通信可能な場合に、１台のデジタルカメラを画像記録装置１００とし、他のデジタルカメラから画像ファイルを取り込む場合にも、本発明は適用可能である。この場合、モニタ１０５としては、デジタルカメラの背面に搭載された液晶モニタ（背面液晶）が用いられる。使用者は、この背面液晶に表示された画像一覧画面上でチェックボックス内の表示内容を確認することによって、画像の選択状況や処理の実行状況を確認することができる。
【００５５】
（５）上述した実施の形態では、チェックボックスを用いて選択する対象を画像とし、処理の内容を画像の転送処理とする例について説明した。しかしながら、選択の対象は画像に限定されず、例えば動画データや音楽データなどであってもよい。また、処理の内容は転送に限定されず、例えば動画データや音楽データの再生などであってもよい。この場合、チェックボックスを用いて再生対象の動画データや音楽データを選択するようにし、その選択状況やデータの再生状況をチェックボックス内に表示するようにしてもよい。
【００５６】
なお、本発明の特徴的な機能を損なわない限り、本発明は、上述した実施の形態における構成に何ら限定されない。
【図面の簡単な説明】
【００５７】
【図１】画像記録装置の一実施の形態の構成を示すブロック図である。
【図２】画像一覧画面の具体例を示す第１の図である。
【図３】チェックボックス内に表示される各マークの具体例を示す図である。
【図４】チェックボックス内の表示内容の変化の具体例を示す図である。
【図５】有線接続されたデジタルカメラから画像ファイルを取り込む場合に、処理の実行状況に応じたチェックボックス内の表示内容の変化例を示す図である。
【図６】無線接続されたデジタルカメラから画像ファイルを取り込む場合に、処理の実行状況に応じたチェックボックス内の表示内容の変化例を示す図である。
【図７】画像一覧画面の具体例を示す第２の図である。
【図８】画像記録装置１００の処理を示すフローチャート図である。
【符号の説明】
【００５８】
１００  画像記録装置、１０１  操作部材、１０２  通信装置、１０３  制御装置、１０３ａ  表示制御部、１０３ｂ  処理実行部、１０４  ＨＤＤ、１０５  モニタ
【図１】
0004935569.tif 000002
【図２】
0004935569.tif 000003
【図３】
0004935569.tif 000004
【図４】
0004935569.tif 000005
【図５】
0004935569.tif 000006
【図６】
0004935569.tif 000007
【図７】
0004935569.tif 000008
【図８】
0004935569.tif 000009